(57)【特許請求の範囲】
【請求項１】
放射状に形成された支持棒と、該支持棒の各先端部左右に各々独立して回転可能に設けられた回転体と、前記支持棒を回転可能に取り付けられる下枠と、回転体通過部を有する上枠とより構成されることを特徴とする綱擦り抜け具。
【発明の詳細な説明】
【０００１】
【発明の属する技術分野】
この発明は、二つの物体をつなげた場合、その二つの物体の間を綱又は棒が擦り抜ける事が出来、且つ二つの物体はけして離れることのない技術に関するものであり、家の敷地内において犬が自由自在に運動できるように曲線状に張った綱を移動できる滑車、又は林業における材木運び出しに用いる滑車、あるいは縄跳びをしているように見える玩具において用いる、綱擦り抜け具に関するものである。
【０００２】
【従来の技術】
従来はこのような技術は無かった。そのため犬などの動物を敷地内において鎖につなげたまま自由な時間に自由に運動させることは出来なかった。また林業において伐採した材木を運び出すときに滑車を用いるが、従来の滑車では直線状に張ったワイヤーロープでしか使用出来ず長大なワイヤーロープが必要であった。あるいは玩具において縄跳びが出来るような状態のお人形さんは創作不可能だった。
【０００３】
【発明が解決しようとする課題】
イ、二つの物体を離れないようにつなげた場合、その二つの物体の間を綱又は棒が擦り抜ける事が出来る技術は無かった。
ロ、従来の滑車を用いる場合、真っすぐに張った綱しか使用できず、途中で曲がったり、上ったり下ったりした綱はその場所場所で綱を支えるために、他の綱などで引っ張らなければならない。そのためその場所を通過出来る滑車はなかった。
ハ、従来の玩具においても、二つの物体を離れないようにつなげその二つの物体の間を綱が擦り抜ける技術はなかったので縄跳びをしているように見える玩具は創作出来なかった。
本発明は、以上のことを解決するためになされたものである。
【０００４】
【課題を解決するための手段】
放射状に形成された支持棒と、該支持棒の各先端部左右に各々独立して回転可能に設けられた回転体と、前記支持棒を回転可能に取り付けられる下枠と、回転体通過部を有する上枠とより構成されることを特徴とする綱擦り抜け具である。
【０００５】
【発明の実施の形態】
第一の実施の形態について図２，３，４，５を用いて説明する。放射状に形成した支持棒（４）の各先端部の左右に各々独立した回転をする回転体（３）を装着し、放射状に形成した支持棒（４）を中心部に設けた軸穴（６）において、上部が開口した枠（２ｂ）の中央上部に設けた軸（７）に取り付ける。また円弧状に形成した回転体保持部（１ｂ）と同心円状に形成した回転体保持部（１ａ）の間に回転体通過部（５）を設けた枠（２ａ）を左右に配し、支持棒（４）に装着した回転体（３）を回転体通過部（５）にはめ込み、左右に配した枠（２ａ）を一体化させる。以上のように構成された綱擦り抜け具である。これを使用すると以下のように作用し綱を擦り抜けることができる。枠（２ａ）と枠（２ｂ）の間を綱（８）が通り過ぎるとき、綱（８）が支持棒（４）を押し付ける。押し付けられた支持棒（４）の先端部の左右に装着した回転体（３）と前部の支持棒（４）の先端部の左右に装着した回転体（３）が回転しながら回転体通過部（５）を回転体保持部（１ａ，１ｂ）に保持されながら円運動をして先に進み、前部の回転体（３）が回転体通過部（５）を出る間際に、後部の支持棒（４）の先端部の左右に装着した回転体（３）が回転体通過部（５）に進入して行く。その結果支持棒（４）も円運動をして回転するので綱（８）は枠（２ａ）と枠（２ｂ）の間を擦り抜けることが出来る。そのとき回転体（３）は回転体保持部（１ａ）と回転体保持部（１ｂ）により支えられ外れることはない。また支持棒（４）がいかなる位置にあったとしても、支持棒（４）の左右の回転体（３）の二か所以上が常に回転体通過部（５）内にあれば、枠（２ａ）と枠（２ｂ）は決して離れることはない。
【０００６】
第二の実施の形態について図６を用いて説明する。二つの請求項１記載の綱擦り抜け具の枠（２ａ）と枠（２ａ）、枠（２ｂ）と枠（２ｂ）をそれぞれ前後にずらした位置に固定する。本発明の請求項１記載の綱擦り抜け具の枠（２ａ）と枠（２ｂ）は相対的に円運動をおこす。二つの請求項１記載の綱擦り抜け具を前後にずらすことにより二つの綱擦り抜け具の枠（２ａ）と枠（２ｂ）における円運動の軌跡は異なるようになるので二つの綱擦り抜け具の枠（２ａ）と枠（２ａ）、枠（２ｂ）と枠（２ｂ）をそれぞれ固定することにより円運動はしなくなる。上記の様に構成された綱擦り抜け具の枠（２ａ）を下にして固定し、枠（２ｂ）にお人形さんを設ける。お人形さんの左右に紐を張り動力で紐を回転させ綱擦り抜け具を擦り抜けさせる。このようにするとあたかもお人形さんが縄跳びをしているように見える玩具を創作することができる。
【０００７】
第三の実施の形態について図７を用いて説明する。請求項１記載の綱擦り抜け具を左右に配し枠（２ａ）と枠（２ａ）の間に輪（９）を設け、枠（２ａ）と枠（２ａ）、枠（２ｂ）と枠（２ｂ）をそれぞれ固定した滑車であり、枠（２ｂ）と枠（２ｂ）の間に輪（９）を設け上下を逆にしてもかまわない。従来の滑車は直線状に張った綱しか使用できなかった。綱を曲線状に張るためには、綱がカーブする場所場所で他の物でその綱を支えなければならない。本発明の綱擦り抜け具を配した滑車を用いるにあたり以下のように綱を張る。綱をカーブさせる場所で水平に張った綱（８）又は棒で綱を支える。以下同様に次々と綱を支えて行く。この様に綱を張り本発明の綱擦り抜け具を配した滑車を用いれば水平に張った綱（８）又は棒を次々と擦り抜けることができる。
【０００８】
次に第四の実施例について述べる。本発明の綱擦り抜け具を配した滑車の輪（９）を電池又は太陽電池を用いてモーターで回転させるようにする。これを曲線状に張り巡らした綱に取り付け自由自在に移動させる。この様にして農業においての野鳥の撃退、又は獣の撃退、あるいは空港内の鳥の撃退などに利用出来る。
【０００９】
【発明の効果】
本発明の綱擦り抜け具を使用することによって横に張った綱又は棒などを難無く擦り抜けることができ、新製品の部品としていろいろな産業分野において貢献すること大である。次に本発明の綱擦り抜け具を配した滑車の産業上の利用効果について述べる。家の周りの敷地内や庭に上記のように綱を張り巡らす。その綱に本発明の綱擦り抜け具を配した滑車を取り付ける。そして犬につなげた鎖をその滑車に取り付ける。犬は自由な時間に自由なだけ敷地内や庭を自由に動き回ることが出来、犬の運動不足からくるストレスを解消することが出来る。また犬は敷地外へ逃げ出すことは出来ない。このため飼い主は毎日の犬の散歩から解放される。また昨今家の中だけで飼われている犬が多くなって来ているが、たまには外で自由に運動させることも必要である。そのためにはこの滑車は大変便利である。
【図面の簡単な説明】
【図１】本発明の外観斜視図
【図２】本発明の使用状態を示す斜視図
【図３】本発明の分解斜視図
【図４】本発明の断面図
【図５】本発明の断面図
【図６】本発明の外観斜視図
【図７】本発明の分解斜視図
【符号の説明】
１  回転体保持部
２  枠
３  回転体
４  支持棒
５  回転体通過部
６  軸穴
７  軸
８  綱
９  輪
【図１】
0004114024.tif 000002
【図２】
0004114024.tif 000003
【図３】
0004114024.tif 000004
【図４】
0004114024.tif 000005
【図５】
0004114024.tif 000006
【図６】
0004114024.tif 000007
【図７】
0004114024.tif 000008